(57)【特許請求の範囲】
【請求項１】
給水管路から供給する水を電解槽で電解し、生成されたアルカリ水と酸性水を利用側吐水管路と非利用側排水管路から各別に排出するとともに、利用側吐水管路に設けられる開閉手段で利用側電解水の吐水を制御する連続式電解水生成装置と；電解槽の前記利用側吐水管路に設けられ、利用側吐水管路の開閉手段を開閉したときの水圧変動によって作動する圧力スイッチと；利用側吐水管路の前記圧力スイッチの上流側に設けられた逆止弁と；給水管路に設けられ、前記圧力スイッチのＯＮ−ＯＦＦ信号によって閉開する電動開閉弁と；非利用側排水管路に設けられ、前記圧力スイッチのＯＮ−ＯＦＦ信号によって閉開する電動開閉弁と；を具備することを特徴とする非耐圧型の先止め式電解水生成装置
【請求項２】
給水管路から供給する水を電解槽で電解し、生成されたアルカリ水と酸性水を利用側吐水管路と非利用側排水管路から各別に排出するとともに、利用側吐水管路に設けられる開閉手段で利用側電解水の吐水を制御する連続式電解水生成装置と；電解槽の前記利用側吐水管路に設けられ、利用側吐水管路の開閉手段の開閉に連動してＯＮ−ＯＦＦ作動する圧力スイッチと；利用側吐水管路の前記圧力スイッチ上流側に設けられた逆止弁と；給水管路に設けられ、前記圧力スイッチのＯＮ−ＯＦＦ信号によって閉開する電動開閉弁と；非利用側排水管路に設けられ、前記圧力スイッチのＯＮ−ＯＦＦ信号によって閉開する電動開閉弁と；電解槽の給水部に形成され、陽極室と陰極室に各別に連通する一対の独立給水口と；給水管路の前記電動開閉弁下流側に介装されたミクロフィルタと；該ミクロフィルタの下流側から二股に分岐され、前記電解槽の独立給水口に各別に接続された一対の給水支管と；一方の給水支管に介装した逆止弁の下流側から逆止弁を介してミクロフィルタの給水側に配管した洗浄用管路と；給水管路の電動開閉弁上流側から利用側吐水管路の逆止弁上流側に接続された洗浄バイパス管路と；該洗浄バイパス管路に設けられた電動開閉弁と；洗浄バイパス管路の電動開閉弁と非利用側排水管路の電動開閉弁を開き、且つ、電解槽に極性を逆転して電解電圧を印加させる電気制御装置と；を具備することを特徴とする非耐圧型の先止め式電解水生成装置
【請求項３】
給水管路から供給する水を電解槽で電解し、生成されたアルカリ水と酸性水を利用側吐水管路と非利用側排水管路から各別に排出するとともに、利用側吐水管路に設けられる開閉手段で利用側電解水の吐水を制御する連続式電解水生成装置と；電解槽の前記利用側吐水管路に設けられ、利用側吐水管路の開閉手段の開閉に連動してＯＮ−ＯＦＦ作動する圧力スイッチと；利用側吐水管路の前記圧力スイッチ上流側に設けられた逆止弁と；給水管路に設けられ、前記圧力スイッチのＯＮ−ＯＦＦ信号によって閉開する電動開閉弁と；非利用側排水管路に設けられ、前記圧力スイッチのＯＮ−ＯＦＦ信号によって閉開する電動開閉弁と；電解槽の給水部に形成され、陽極室と陰極室に各別に連通する一対の独立給水口と；給水管路の前記電動開閉弁下流側に介装されたミクロフィルタと；該ミクロフィルタの下流側から二股に分岐され、前記電解槽の独立給水口に各別に接続された一対の給水支管と；一方の給水支管に介装した逆止弁の下流側から逆止弁を介してミクロフィルタの給水側に配管した洗浄用管路と；給水管路の電動開閉弁上流側から利用側吐水管路の逆止弁上流側に接続された洗浄バイパス管路と；該洗浄バイパス管路に設けられた電動開閉弁と；一対の給水支管に設けられた給水側の流路切換弁と；利用側吐水管路と非利用側排水管路に設けられた排水側の流路切換弁と；洗浄バイパス管路の電動開閉弁と非利用側排水管路の電動開閉弁を開き、且つ、前記給水側の流路切換弁と排水側の流路切換弁の各流路を切り換える電気制御装置と；を具備することを特徴とする非耐圧型の先止め式電解水生成装置
【請求項４】
ミクロフイルタ１３の洗浄時給水管となる洗浄用管路２２とミクロフイルタ１３の排出口３３の間に、ミクロフイルタ１３の抵抗により洗浄給水圧が所定値を超えると洗浄給水の一部を内部フイルタ本体３４を通さずにミクロフイルタ排出口３３に流す迂回路３５を設けたことをさらに特徴とする請求項２又は３記載の非耐圧型の先止め式電解水生成装置
【請求項５】
給水管路の電動開閉弁が閉じたのち、所定時間遅延して非利用側排水管路の電動開閉弁が閉じるようにしたことをさらに特徴とする請求項１、２、３又は４記載の非耐圧型の先止め式電解水生成装置
【発明の詳細な説明】
【０００１】
【発明の属する技術分野】
本発明は水道水などの原水を電解してアルカリイオン水を生成する先止め式の連続式電解水生成装置に関する。
【０００２】
【従来の技術】
給水管から供給される原水を電解槽で電解し、生成されたアルカリ水と酸性水を利用側吐水管路と非利用側排水管路から別々に排出する連続式の電解水生成装置には利用側吐水管路に設けた蛇口の開閉でアルカリイオン水を取水する先止め式の電解水生成装置がある。
【０００３】
【発明が解決しようとする課題】
このような先止め式の装置は、利用する水の管路の先端で取水制御ができ、また、複数の取水口を設けて選択的に開閉できるという利点があるが、取水していないときは電解槽に常に水道水の水圧がかかり、また、その状態で蛇口を閉めると装置内の水回路にウォータハンマ等の衝撃圧がかかる。このため、電解槽や配管に耐圧性が要求され、製作及びメンテナンスのコスト高がさけられなかった。
【０００４】
従って、本発明の第１の目的は、先止め式の機能を有しながら、しかも非取水時は電解槽や配管に給水圧がかからない構造の非耐圧型の先止め式連続電解水生成装置を提供することにある。
【０００５】
ところで、この種の電解水生成装置は使用しているうちに配管や電解槽などの水回路が汚れてくるので適宜洗浄する必要がある。しかしながら従来は効果的に洗浄するには装置の配管路を大幅に換えなければならず、作業が非常に煩雑であった。
また、従来は電解槽の上流側管路を電解酸性水で洗浄することはできず、特に、給水管路に介装したミクロフィルタの洗浄が課題となっていた。
【０００６】
従って、本発明の第２の目的は、給水の管路切換えだけで電解槽上流のミクロフィルタから電解槽の下流の吐水管までが電解酸性水で自動的に洗浄される構造の前記電解水生成装置を提供することにある。
【０００７】
このようなミクロフイルタの洗浄機構を備えた電解水生成装置は、洗浄時に給水の全量を電解槽の陽極室を逆流させて通水し、ミクロフイルタを通した後、電解槽の陰極室を通して排水させるため、ミクロフイルタの抵抗で電解槽の陽極室の水圧が上昇し、電解槽の陰極室と陽極室を区画している電解隔膜を破損させるおそれがある。
従って、本発明の第３の目的は、洗浄操作時に、電解槽の電解隔膜が陽極室の水圧上昇による破損から守られ、しかも洗浄給水の全量でミクロフイルタの排出口及びその下流側が洗浄される構造の前記非耐圧型の先止め式連続電解水生成装置を提供することにある。
【０００８】
【課題を解決するための手段】
上記第１の目的を達成するために、本発明の請求項１の電解水生成装置は、給水管路から供給する水を電解槽で電解し、生成されたアルカリ水と酸性水を利用側吐水管路と非利用側排水管路から各別に排出するとともに、利用側吐水管路に設けられる開閉手段で利用側電解水の吐水を制御する連続式電解水生成装置と；電解槽の前記利用側吐水管路に設けられ、利用側吐水管路の開閉手段を開閉したときの水圧変動によって作動する圧力スイッチと；利用側吐水管路の前記圧力スイッチの上流側に設けられた逆止弁と；給水管路に設けられ、前記圧力スイッチのＯＮ−ＯＦＦ信号によって閉開する電動開閉弁と；非利用側排水管路に設けられ、前記圧力スイッチのＯＮ−ＯＦＦ信号によって閉開する電動開閉弁と；を具備することを特徴とする。
【０００９】
上記第２の目的を達成するために、本発明の請求項２の電解水生成装置は、給水管路から供給する水を電解槽で電解し、生成されたアルカリ水と酸性水を利用側吐水管路と非利用側排水管路から各別に排出するとともに、利用側吐水管路に設けられる開閉手段で利用側電解水の吐水を制御する連続式電解水生成装置と；電解槽の前記利用側吐水管路に設けられ、利用側吐水管路の開閉手段の開閉に連動してＯＮ−ＯＦＦ作動する圧力スイッチと；利用側吐水管路の前記圧力スイッチ上流側に設けられた逆止弁と；給水管路に設けられ、前記圧力スイッチのＯＮ−ＯＦＦ信号によって閉開する電動開閉弁と；非利用側排水管路に設けられ、前記圧力スイッチのＯＮ−ＯＦＦ信号によって閉開する電動開閉弁と；電解槽の給水部に形成され、陽極室と陰極室に各別に連通する一対の独立給水口と；給水管路の前記電動開閉弁下流側に介装されたミクロフィルタと；該ミクロフィルタの下流側から二股に分岐され、前記電解槽の独立給水口に各別に接続された一対の給水支管と；一方の給水支管に介装した逆止弁の下流側から逆止弁を介してミクロフィルタの給水側に配管した洗浄用管路と；給水管路の電動開閉弁上流側から利用側吐水管路の逆止弁上流側に接続された洗浄バイパス管路と；該洗浄バイパス管路に設けられた電動開閉弁と；洗浄バイパス管路の電動開閉弁と非利用側排水管路の電動開閉弁を開き、且つ、電解槽に極性を逆転して電解電圧を印加させる電気制御装置と；を具備することを特徴とする。
前記電気制御装置は、電解槽の極性を逆転させる方式に代えて、給水側の流路切換弁と排水側の流路切換弁の各流路を切り換える方式でもよい。
【００１０】
上記第３の目的を達成するために、本発明の請求項４の電解水生成装置は、前記請求項２又は３のものにおいて、さらに、ミクロフイルタの洗浄時給水管となる洗浄用管路とミクロフイルタの排出口の間に、ミクロフイルタの抵抗により洗浄給水圧が所定値を超えると洗浄給水の一部を内部フイルタ本体を通さずにミクロフイルタ排出口に流す迂回路を設けたことを特徴とする。
【００１１】
好ましくは、いずれの場合も給水管路の開閉電動弁が閉じたのち、所定時間遅延して非利用側排水管路の開閉電動弁が閉じるようにする。
【００１２】
【発明の実施の形態】
以下、本発明の実施の形態を添付の図面に基づいて説明する。
図１は本発明の請求項１の電解水生成装置の実施例を示すもので、この電解水生成装置１は、電解槽２の一側に水道水などの原水の給水管路３を有するとともに、電解槽２の他側に利用側吐水管路４と非利用側排水管路５を有する連続式の電解水生成装置に構成されており、給水管路３から供給された水を電解槽２でアルカリイオン水と酸性水に電解し、生成されたアルカリイオン水を利用側吐水管路４から取水するとともに、酸性水を非利用側排水管路５からドレン等へ排水するようになっている。
このため電解槽２は、図を省略したが、対向配設した陽電極と陰電極間を電解隔膜で陽極室と陰極室に仕切った有隔膜電解槽を構成されている。
【００１３】
また、この電解水生成装置１は、電解槽２の下流側の利用側吐水管路４に蛇口水栓などの開閉手段６が取付けられ、この開閉手段６によって取水を制御する、
いわゆる先止め式の連続式電解水生成装置に構成されている。
【００１４】
本発明は上記の先止め式の連続式電解水生成装置において、利用側吐水管路４の開閉手段６の上流側に逆止弁７を介装するとともに、この逆止弁７とその先の前記開閉手段６の間の吐水管路に圧力スイッチ８を設けてある。
この圧力スイッチ８は開閉手段６の開閉によって生ずる水圧変動でＯＮ−ＯＦＦ信号を発信するもので、図の実施例では開閉手段６で吐水管路４を閉じると逆止弁７と開閉手段６間の水圧上昇によりＯＮ信号を発信し、開閉手段６を開くとＯＦＦ信号を発信するようになっている。
【００１５】
他方、給水管路３に前記圧力スイッチ８のＯＮ信号で閉じ、ＯＦＦ信号で開く電磁弁などの電動開閉弁９が設けられているとともに、非利用側排水管路５にも前記圧力スイッチ８のＯＮ信号で閉じ、ＯＦＦ信号で開く電磁弁などの電動開閉弁１０が設けられている。
【００１６】
給水管路３の電動開閉弁９と非利用側排水管路５の電動開閉弁１０は圧力スイッチ８のＯＮ信号で同時に閉じるようにしてもよいが、好ましくは図のように非利用側排水管路５の電動開閉弁１０への信号は遅延タイマ１１を介して送り、電動開閉弁１０が給水管路３の電動開閉弁９よりも若干遅れて閉じるようにする。
【００１７】
尚、図の実施例は、給水管３に浄水器１２とミクロフィルタ１３を管路を介して直列に介装してある。
また、図の実施例の電解槽２は陽極室と陰極室に各別に連通する一対の独立給水口１４、１５を有する電解槽を使用しており、このためミクロフィルタ１３の下流側給水管路を二股の給水支管３ａ、３ｂに分岐し、各々の給水支管３ａ、３ｂを電解槽２の一対の独立給水口１４、１５に接続している。
【００１８】
また、図の実施例の電解槽２は電極の極性を所定時間毎に交互に逆転させて電解を行う逆電式電解槽を使用している。このため、給水支管３ａ、３ｂの相互間に給水側の流路切換弁１６を介装するとともに、利用側吐水管路４と非利用側排水管路５の相互間に排水側の流路切換弁１７を介装し、電解水生成の電解電圧の逆転と連動して流路切換弁１６、１７の流路を切り換えることにより、電解槽２の電極室の極性が逆転しても、各電極室に対する給水側及び吐水側の水回路自体に影響がないようにしてある。
【００１９】
かくして、図１の実施例では、利用側吐水管４の開閉手段を開くと給水管路３と非利用側排水管路５の各々の電動開閉弁９、１０が開き、減圧弁１８を通して給水管３から供給された原水は、浄水器１２、ミクロフィルタ１３で浄化され給水支管３ａ、３ｂを通して電解槽２の各々の給水口１４、１５から電解槽２の各電極室に各別に導入され、電解槽２の電極への電圧印加によってアルカリ水と酸性水に電解される。そして、電解生成されたアルカリ水は利用側吐水管路４から取水され、酸性水は非利用側排水管路５からドレン等へ排水される。このときの電解槽２の電解電圧のＯＮ、ＯＦＦは利用側吐水管路４の圧力スイッチのＯＦＦ、ＯＮ信号で制御するようにしてもよい。
【００２０】
図１の状態で所定時間電解した後、電解槽２の電極極性が逆転すると、流路切換弁１６、１７がモータ１９によって図２のように切換えられる。
【００２１】
利用側吐水管路４の開閉手段６を閉じると、開閉手段６と逆止弁７間の水圧上昇により圧力スイッチ８がＯＮ作動し、このＯＮ信号で給水管路３が閉じるため装置の水回路に給水圧がかからなくなる。
図の実施例では圧力スイッチ８のＯＮ信号で非利用側排水管路５の電動開閉弁１０も閉じるので装置内の水回路は一定水量を保持した状態で次の電解開始に備えられる。
【００２２】
遅延タイマ１１によって、非利用側排水管路５の電動開閉弁１０を給水管路３の電動開閉弁９よりも遅れて閉じるようにした場合は、開閉手段６を閉じたときのウォータハンマが吸収され、圧力の影響が一層効果的に取り除かれることになる。
【００２３】
図３乃至図６は本発明の請求項２、３の装置の実施例を示すもので、この電解水生成装置は前記図１、図２の実施例の構造を備えた上で、さらに、電解水生成を停止しているときに、ミクロフィルタ１３を含む装置内の水回路を電解酸性水で洗浄することができるようにしたものである。従って、図１と同一の参照番号は同一の部材を示し、同じ機能を有している。
【００２４】
すなわち、本発明の図３の装置は、前記と同様に利用側吐水管路４に逆止弁７と圧力スイッチ８を有し、給水管路３と非利用側排水管路５に圧力スイッチ８の信号で作動する電動開閉弁９、１０を備えている点は図１と同様である。
また、電解槽２の給水部に、陽極室、陰極室に各別に連通する一対の独立給水口１４、１５を設けた電解槽を使用し、ミクロフィルタ１３の下流側の給水管路３から二股に分岐した給水支管３ａ、３ｂを電解槽２の一対の独立給水口１４、１５に接続した構成も図１の装置と同じである。但し、これらの構成は、請求項１の発明に対応する図１の装置においては必ずしも必須のものではないが、請求項２及び請求項３の発明に対応する図３乃至図８の装置においては必須の構成になっている。
【００２５】
図３の装置は上記の構成に加えて、一方の給水支管３ｂの流路切換弁１６上流側に逆止弁２０を介装するとともに、この逆止弁２０と流路切換弁１６の間の給水支管３ｂからミクロフィルタ１３上流側の給水管路に逆止弁２１を介装した洗浄用管路２２を接続してある。
【００２６】
さらに、給水管路３の電動開閉弁９の上流側から利用側吐水管路４の前記逆止弁７と流路切換弁１７の間の管路に洗浄バイパス管路２３が接続されており、この洗浄バイパス管路２３に電磁弁などの電動弁２４が設けられている。この電動弁２４は給水管路３の給水を利用側吐水管路４側へ選択的に開くために使用されるものであるから、電動開閉弁に限らず、給水管路３からの分岐部に設けた三方弁（図示せず）で代用することもできる。
【００２７】
洗浄バイパス管路２３の電動弁２４はタイマなどの別の洗浄スイッチ２５を含む電気制御装置からの信号で開くようになっており、また、この信号は、同様に非利用側排水管路５の電動開閉弁１０を開くとともに、図５、図６に示すように、電解槽２の極性を逆転して電解電圧を印加する洗浄電解信号として電解槽２の電気制御部２６に送られるようになっている。但し、洗浄スイッチ２５を含む電気制御装置の信号は、前記のように電解槽２の極性を逆転して電解電圧を印加するのに代えて、図７、図８のように、電解槽２の給水支管３ａ、３ｂの流路切換弁１６及び、利用側吐水管路４と非利用側排水管路５の流路切換弁１７の各流路を切り換えるための信号として、これら流路切換弁１６、１７の駆動モータ１９に送り、モータ１９を制御するようにしても良い。
この洗浄スイッチ２５は手動でももちろんよいが、２４時間タイマ等を使用し、深夜などの電解水を使用しないときに、洗浄スイッチ２５が自動的にＯＮするようにするのが望ましい。
【００２８】
次に、図３の装置の作用について図３乃至図６に沿って説明する。
図３は電解によりアルカリ水を生成し、使用している状態の水の流れを示しており、給水管路３から供給される原水は浄水器１２、ミクロフィルタ１３で浄化された後、電解槽２でアルカリ水と酸性水に電解され、アルカリ水は利用側吐水管路４から取水され、酸性水は非利用側排水管路５からドレンへ排水される。
電解槽２の電極極性が逆転されると、図４のように電解槽２の上流側（給水支管３ａ、３ｂ）の流路切換弁１６と電解槽２の下流側流路切換弁１７の各々の流路が切換わり、引き続き利用側吐水管路４からアルカリ水が取水され、非利用側排水管路５から酸性水が排水される。
【００２９】
図３、図４の状態で、利用側吐水管路４の開閉手段６を閉じると、圧力スイッチ８が作動し給水管路３の電動開閉弁９が閉じるとともに、これと連動して、（好ましくは若干の遅れをもって）非利用側排水管路５の電動開閉弁１０が閉じる。これらの動作は図１、図２の装置と実質的に同じである。
【００３０】
次に、図３、図４の状態で利用側吐水管路４の開閉手段６が閉じられているときに、洗浄スイッチ２５がＯＮすると、洗浄スイッチ２５からの信号で洗浄バイパス管路２３の電動弁２４と非利用側排水管路５の電動開閉弁１０が開くとともに、電解槽２の電極極性を逆転して電解電圧が印加され、水の流れと電解槽２の極性はそれぞれ図５、図６の状態に変る。
その結果、図５、図６のように洗浄バイパス管路２３から利用側吐水管路４に供給された水は、極性が逆転された電解槽２の陽極室を逆流しながら電解されることにより酸性水に生成され、給水支管３ｂから洗浄用管路２２を通してミクロフィルタ１３の給水側に供給され、ミクロフィルタ１３を通過した後、給水支管３ａを通して電解槽２の陰極室を流れ、非利用側排水管路５から排水される。
また、電解槽２の極性を逆転させる代わりに、流路切換弁１６、１７の流路を切り換えると、図７、図８のように、洗浄バイパス管路２３から利用側吐水管路４に供給された水は、電解槽２の陽極室を逆流しながら電解されることにより酸性水に生成され、給水支管３ｂから洗浄用管路２２を通してミクロフィルタ１３の給水側に供給され、ミクロフィルタ１３を通過した後、給水支管３ａを通して電解槽２の陰極室を流れ、非利用側排水管路５から排水される。
すなわち、洗浄スイッチ２５の投入により上記の一連の洗浄水回路が開閉されるとともに、洗浄電解によって生成された殺菌性のある酸性水が洗浄水回路を流れることにより、効率のよい洗浄がなされる。
尚、洗浄に際し、洗浄用酸性水が上記洗浄水回路をゆっくり流れるようにするため、洗浄バイパス管路２３と非利用側排水管路５にオリフイスなどの絞り弁２７ａ、２７ｂを設けてもよい。
【００３１】
ところで、図５乃至図８のように、洗浄時に洗浄バイパス２３を介して洗浄用給水を電解槽２の陽極室及び給水支管３ｂを逆流させ、洗浄用管路２２からミクロフイルタ１３のフイルタ本体を通過させ、さらに、給水支管３ａ及び電解槽２の陰極室を通して排水するようにすると、洗浄時に給水の全量が電解槽２の陽極室を逆流してミクロフイルタ１３内のフイルタ本体の抵抗を受けるため、電解槽２の陽極室側の水圧がアンバランスに上昇し、このため電解槽２内の電解隔膜が破損するおそれがある。
【００３２】
そこで、図９の実施例はこの課題を解決するために、ミクロフイルタ１３の洗浄時給水管となる洗浄用管路２２とミクロフイルタ１３の排出口３３の間に、ミクロフイルタ１３の抵抗により洗浄給水圧が所定値を超えると洗浄給水の一部を内部フイルタ本体３４を通さずにミクロフイルタ排出口３３に通水させる迂回路３５を設けてある。
【００３３】
そして、図９の実施例は前記迂回路３５を形成するために、洗浄用管路２２からミクロフイルタ１３の補助給水口３６へ通水路３７を設けるとともに、ミクロフイルタ１３内の補助給水口３６と排水口３３の間にフイルタ本体３４を経由しない通路又はスペース３８を設け、さらに、前記通水路３７に所定のばね圧のばる３９によって付勢させた逆止弁４０を介装してある。
【００３４】
かくして、図９の実施例は、洗浄時に、ミクロフイルタ１３のフイルタ本体３４の抵抗によって電解槽２の陽極室の水圧が所定の圧力を超えると、洗浄用管路２２の洗浄水の一部がフイルタ本体３４を通らずに迂回路３５を介してミクロフイルタ排出口３３へ流れ、これにより、陽極室の水圧を吸収するようになっている。
【００３５】
圧力スイッチ８はいかなる構造のものでもよいが、好ましくは、圧力検出位置を調整し、スイッチがＯＮになるときの圧力を調整することができる構造のものが望ましい。
図７は圧力スイッチ８の一例を示すもので、水が通るケーシング２８内を、スプリング２９によって支持されたダイアフラム３０で上下に仕切り、ダイアフラム３０と一体のマグネット３１をリードスイッチ３２等で検出するものであるが、リードスイッチ３２の位置を図の上下に調整することでスイッチＯＮになる圧力を調整することができる。
【００３６】
尚、図１乃至図９の装置において、圧力スイッチ８のＯＮ信号で電動開閉弁９、１０を閉状態に維持するには開閉手段６と逆止弁７に所定の水圧が保持されている必要がある。図１乃至図９の装置においては、給水管路３の電動開閉弁９又は洗浄バイパス管路２４を所定時間開くことによってこの水圧保持が達成される。
【００３７】
【効果】
本発明の連続式電解水生成装置は、利用側吐水管路の先止め開閉手段を閉じた時に装置の水回路に給水管路からの給水圧がかからないので、先止め式の利点を享有しながら、電解槽や水の回路を耐圧式にする必要がなくなる。すなわち、先止め式で非耐圧構造にできるので製造及びメンテナンスを大幅にコストダウンした先止め式の電解水生成装置を得ることができる。
【００３８】
ウォータハンマ等の衝撃圧を効果的に吸収することができるので損傷を少なくし、寿命の長期化がはかれる。
【００３９】
簡単な流路切換えでミクロフィルタを含む洗浄水回路が開成されるとともに、電解酸性水で洗浄水回路を洗うのできわめて効率のよい洗浄効果が得られる。
【００４０】
洗浄時に給水の全量を洗浄水として供給した場合でも、ミクロフイルタの抵抗による圧力上昇分は洗浄水の迂回路によって吸収されるので電解槽の隔膜が過度の水圧で破損することがなくなる。しかも、ミクロフイルタの排出口及びその下流側の管路は酸性洗浄水の全量で洗われるから、洗浄効果に影響はない。
【図面の簡単な説明】
【図１】  本発明の一実施例による連続式電解水生成装置の概略構成図
【図２】  電極々性及び流路を切換えたときの図１相当図
【図３】  本発明の他の実施例による連続式電解水生成装置の概略構成図
【図４】  電極々性及び流路を切換えたときの図３相当図
【図５】  図３の状態での洗浄作動図
【図６】  図４の状態での洗浄作動図
【図７】  図３の状態での他の洗浄作動図
【図８】  図４の状態での他の洗浄作動図
【図９】  本発明の他の実施例による連続式電解水生成装置の洗浄作動図
【図１０】  圧力スイッチの一実施例を示す縦断面図
【符号の説明】
１…連続式電解水生成装置
２…電解槽
３…給水管路
３ａ、３ｂ…給水支管
４…利用側吐水管路
５…非利用側排水管路
６…開閉手段
７…逆止弁
８…圧力スイッチ
９、１０、２４…電動開閉弁
１１…遅延タイマ
１２…浄水器
１３…ミクロフィルタ
１４、１５…給水口
１６、１７…流路切換弁
１９…モータ
２０、２１…逆止弁
２２…洗浄用管路
２３…洗浄バイパス管路
２５…洗浄スイッチ
２６…電気制御部
２７ａ、２７ｂ…絞り弁
２８…圧力スイッチケーシング
２９…スプリング
３０…ダイアフラム
３１…マグネット
３２…リードスイッチ
３３…ミクロフイルタ排出口
３４…フイルタ本体
３５…迂回路
３６…補助給水口
３７…通水路
３８…通路
３９…ばね
４０…逆止弁
【図１】
0003694820.tif 000002
【図２】
0003694820.tif 000003
【図３】
0003694820.tif 000004
【図４】
0003694820.tif 000005
【図５】
0003694820.tif 000006
【図６】
0003694820.tif 000007
【図７】
0003694820.tif 000008
【図８】
0003694820.tif 000009
【図９】
0003694820.tif 000010
【図１０】
0003694820.tif 000011